(57)【要約】  アイウェア及びアクセサリを収容することができると共に収容されたアクセサリの移動を規制する。  眼鏡ケース（７４）は、電子眼鏡が収容される眼鏡収容部（７６）と、該眼鏡収容部（７６）とは区画して設けられ電子眼鏡（１０）の充電器（７２）が収容される充電器収容部（７８）と、を有するケース本体（８０）を備えている。また、眼鏡ケース（７４）は、ケース本体（８０）に係合されることで、ケース本体（８０）との間に電子眼鏡（１０）及び充電器（７２）が収容される空間を形成し、充電器収容部（７８）内における充電器（７２）の移動を規制する変位規制部（８２Ｇ）を有する蓋部（８２）を備えている。
2018066346.tif 000002
【特許請求の範囲】
【請求項１】
アイウェアが収容されるアイウェア収容部と、該アイウェア収容部とは区画して設けられ前記アイウェアのアクセサリが収容されるアクセサリ収容部と、を有するケース本体と、
前記ケース本体を閉止することで、前記ケース本体との間に前記アイウェア及び前記アクセサリが収容される空間を形成し、前記アクセサリ収容部内における前記アクセサリの移動を規制する規制部を有する蓋部と、
を備えたアイウェアケース。
【請求項２】
前記蓋部が前記ケース本体を閉止した状態において、前記規制部は、前記アクセサリ収容部、または前記アクセサリ収容部に収容された前記アクセサリに当接する請求項１記載のアイウェアケース。
【請求項３】
前記アクセサリ収容部は、前記アクセサリを出し入れする開口部を有し、前記蓋部が前記ケース本体を閉止した状態において、前記規制部が前記アクセサリ収容部の前記開口部の少なくとも一部を閉塞するように位置する請求項１に記載のアイウェアケース。
【請求項４】
前記ケース本体は略長方形状であり、前記アクセサリ収容部は前記ケース本体の長手方向の中央部に設けられ、前記アイウェア収容部が該アイウェア収容部の開放方向から見てＵ字状に形成された請求項１に記載のアイウェアケース。
【請求項５】
前記アイウェアはユーザの頭部に装着されるテンプルを有し、
前記ケース本体は略長方形状であり、前記アクセサリ収容部は前記ケース本体の長手方向の中央部に設けられ、
前記アイウェアが前記アイウェア収容部に収容された状態において、前記テンプルは前記ケース本体の長手方向において前記アクセサリ収容部の両側に配置される請求項１に記載のアイウェアケース。
【請求項６】
前記アクセサリ収容部は、前記ケース本体の下面及び側面の両面に接続して設けられ、る請求項１〜請求項５のいずれか１項に記載のアイウェアケース。
【請求項７】
前記規制部は、前記蓋部の上面及び側面の両面に接続して設けられる請求項１〜請求項６のいずれか１項に記載のアイウェアケース。
【請求項８】
前記蓋部はヒンジ部を介して前記ケース本体に回転可能に取り付けられ、前記アクセサリ収容部は前記ケース本体において前記ヒンジ部とは反対側に設けられ、前記規制部は前記蓋部において前記ヒンジ部とは反対側に設けられる請求項１〜請求項７のいずれか１項に記載のアイウェアケース。
【請求項９】
前記アイウェア収容部は、フレーム及び該フレームに保持された一対のレンズを有する眼鏡が収容される眼鏡収容部とされており、
前記蓋部が前記ケース本体を閉止した状態において、前記規制部が一対の前記レンズの間に位置する請求項１記載のアイウェアケース。
【請求項１０】
前記アクセサリ収容部は、前記アイウェアに設けられたバッテリーを充電するための充電用アクセサリが収容される請求項１〜請求項９のいずれか１項に記載のアイウェアケース。
【請求項１１】
前記充電用アクセサリは、前記アイウェアに接続される充電用のケーブル、または前記バッテリーを充電する充電器である請求項１０に記載のアイウェアケース。
【発明の詳細な説明】
【技術分野】
【０００１】
本発明は、アイウェアケースに関する。
【背景技術】
【０００２】
特開２０１１−５１６９２７号公報には、レンズの一部の領域の焦点距離を他の領域の焦点距離に対して変更することが可能とされたアイウェア（電子眼鏡）が開示されている。また、このアイウェアは、レンズの一部の領域の焦点距離を変更する駆動回路へ給電するためのバッテリーを備えている。【０００３】
また、登録実用新案第３０４０６５７号公報及び特開２００３−１８０４３３号公報には、アイウェアを収容するためのアイウェアケースが開示されている。
【発明の概要】
【発明が解決しようとする課題】
【０００４】
ところで、特開２０１１−５１６９２７号公報に記載されたアイウェアのようにバッテリー等のアクセサリを有するアイウェアでは、当該アイウェア及びアイウェアのアクセサリをアイウェアケースに収容できると共に、収容されたアクセサリの移動を規制できることが望ましい。【０００５】
本発明は上記事実を考慮し、アイウェア及びアクセサリを収容することができると共に収容されたアクセサリの移動を規制することができるアイウェアケースを得ることが目的である。
【課題を解決するための手段】
【０００６】
第１の態様のアイウェアケースは、アイウェアが収容されるアイウェア収容部と、該アイウェア収容部とは区画して設けられ前記アイウェアのアクセサリが収容されるアクセサリ収容部と、を有するケース本体と、前記ケース本体を閉止することで、前記ケース本体との間に前記アイウェア及び前記アクセサリが収容される空間を形成し、前記アクセサリ収容部内における前記アクセサリの移動を規制する規制部を有する蓋部と、を備えている。【０００７】
第１の態様のアイウェアケースによれば、アイウェアがケース本体のアイウェア収容部に収容されると共に、アイウェアのアクセサリがケース本体のアクセサリ収容部に収容される。そして、蓋部がケース本体を閉止することで、アイウェア及びアクセサリが、アイウェアケース内に収容される。これにより、アイウェア及びアクセサリをアイウェアケース内に収容した状態で、アイウェア及びアクセサリを持ち運ぶことが可能となる。ここで、第１の態様の発明では、アクセサリ収容部内におけるアクセサリの移動を蓋部に設けられた規制部によって規制することができる。このように、第１の態様の発明では、アイウェア及びアクセサリを収容することができると共に収容されたアクセサリの移動を規制することができる。【０００８】
第２の態様のアイウェアケースは、第１の態様のアイウェアケースにおいて、前記蓋部が前記ケース本体を閉止した状態において、前記規制部は、前記アクセサリ収容部、または前記アクセサリ収容部に収容された前記アクセサリに当接する。【０００９】
第２の態様のアイウェアケースによれば、蓋部がケース本体を閉止した状態において、規制部がアクセサリ収容部に当接することで、アクセサリ収容部内におけるアクセサリの移動を規制することができる。または、蓋部がケース本体を閉止した状態において、規制部がアクセサリに当接することで、アクセサリ収容部内におけるアクセサリの移動を規制することができる。【００１０】
第３の態様のアイウェアケースは、第１の態様のアイウェアケースにおいて、前記アクセサリ収容部は、前記アクセサリを出し入れする開口部を有し、前記蓋部が前記ケース本体を閉止した状態において、前記規制部が前記アクセサリ収容部の前記開口部の少なくとも一部を閉塞するように位置する。【００１１】
第３の態様のアイウェアケースによれば、蓋部がケース本体を閉止した状態において、規制部がアクセサリ収容部の開口部の少なくとも一部を閉塞するように位置することで、アクセサリのアクセサリ収容部からの抜け出しを抑制することができる。【００１２】
第４の態様のアイウェアケースは、第１の態様のアイウェアケースにおいて、  前記ケース本体は略長方形状であり、前記アクセサリ収容部は前記ケース本体の長手方向の中央部に設けられ、前記アイウェア収容部が該アイウェア収容部の開放方向から見てＵ字状に形成されている。【００１３】
第４の態様のアイウェアケースによれば、アクセサリ収容部が上記位置に設けられていると共に、アイウェア収容部が上記形状に形成されている。これにより、アイウェアをアイウェア収容部内に収容した状態において、当該アイウェアの一部をアイウェア収容部におけるアクセサリ収容部の両側（ケース本体の長手方向の両側）に配置させることができる。その結果、アイウェアのアイウェア収容部内における移動を規制することができる。【００１４】
第５の態様のアイウェアケースは、第１の態様のアイウェアケースにおいて、前記アイウェアはユーザの頭部に装着されるテンプルを有し、前記ケース本体は略長方形状であり、前記アクセサリ収容部は前記ケース本体の長手方向の中央部に設けられ、前記アイウェアが前記アイウェア収容部に収容された状態において、前記テンプルは前記ケース本体の長手方向において前記アクセサリ収容部の両側に配置される。【００１５】
第５の態様のアイウェアケースによれば、アイウェアをアイウェア収容部内に収容した状態において、当該アイウェアのテンプルをアイウェア収容部におけるアクセサリ収容部の両側（ケース本体の長手方向の両側）に配置させることができる。その結果、アイウェアのアイウェア収容部内における移動を規制することができる。【００１６】
第６の態様のアイウェアケースは、第１の態様〜第５の態様のいずれかの態様のアイウェアケースにおいて、前記アクセサリ収容部は、前記ケース本体の下面及び側面の両面に接続して設けられる。【００１７】
第６の態様のアイウェアケースによれば、アクセサリ収容部が、ケース本体の下面及び側面の両面に接続して設けられることにより、ケース本体においてアクセサリ収容部が設けられた部分の剛性を向上させることができる。【００１８】
第７の態様のアイウェアケースは、第１の態様〜第６の態様のいずれかの態様のアイウェアケースにおいて、前記規制部は、前記蓋部の上面及び側面の両面に接続して設けられる。【００１９】
第７の態様のアイウェアケースによれば、規制部が、蓋部の上面及び側面の両面に接続して設けられることにより、蓋部において規制部が設けられた部分の剛性を向上させることができる。【００２０】
第８の態様のアイウェアケースは、第１の態様〜第７の態様のいずれかの態様のアイウェアケースにおいて、前記蓋部はヒンジ部を介して前記ケース本体に回転可能に取り付けられ、前記アクセサリ収容部は前記ケース本体において前記ヒンジ部とは反対側に設けられ、前記規制部は前記蓋部において前記ヒンジ部とは反対側に設けられる。【００２１】
第８の態様のアイウェアケースによれば、アクセサリ収容部及び規制部を上記位置に設けることにより、蓋部をケース本体に対して回動させた際に、アクセサリ収容部と規制部とを離間させることができる。これにより、アクセイサリをアクセサリ収容部に容易に収容させることができる。【００２２】
第９の態様のアイウェアケースは、第１の態様のアイウェアケースにおいて、前記アイウェア収容部は、フレーム及び該フレームに保持された一対のレンズを有する眼鏡が収容される眼鏡収容部とされており、前記蓋部が前記ケース本体を閉止した状態において、前記規制部が一対の前記レンズの間に位置する。【００２３】
第９の態様のアイウェアケースによれば、眼鏡がケース本体の眼鏡収容部に収容される。そして、蓋部がケース本体を閉止することで、蓋部に設けられた規制部が眼鏡の一対のレンズの間に位置する。これにより、ケース本体の眼鏡収容部内における眼鏡の変位が、蓋部に設けられた規制部によって規制される。このように、第９の態様の発明では、蓋部に設けられた規制部によって眼鏡及びアクセサリの移動を規制することができる。【００２４】
第１０の態様のアイウェアケースは、第１の態様〜第９の態様のいずれかの態様のアイウェアケースにおいて、前記アクセサリ収容部は、前記アイウェアに設けられたバッテリーを充電するための充電用アクセサリが収容される。【００２５】
第１０の態様のアイウェアケースによれば、充電用アクセサリがケース本体のアクセサリ収容部に収容される。そして、アクセサリ収容部内における充電用アクセサリの移動を規制部によって規制することができる。これにより、第１０の態様の発明では、充電用アクセサリとアイウェアとの干渉を抑制した状態で、アイウェア及び充電用アクセサリを持ち運ぶことができる。【００２６】
第１１の態様のアイウェアケースは、第１０の態様のアイウェアケースにおいて、前記充電用アクセサリは、前記アイウェアに接続される充電用のケーブル、または前記バッテリーを充電する充電器である。【００２７】
第１１の態様のアイウェアケースによれば、充電用ケーブルや充電器とアイウェアとの干渉を抑制した状態で、アイウェア及び充電用ケーブルや充電器を持ち運ぶことができる。
【発明の効果】
【００２８】
本発明に係るアイウェアケースは、アイウェア及びアクセサリを収容することができると共に収容されたアクセサリの移動を規制することができる、という優れた効果を有する。
【図面の簡単な説明】
【００２９】
【図１】本実施形態の眼鏡ケースを示す斜視図である。
【図２】電子眼鏡を分解して示す分解斜視図である。
【図３】本実施形態の電子眼鏡を示す正面図である。
【図４】蓋部が開放された状態の眼鏡ケースを示す平面図である。
【図５】蓋部が開放された状態の眼鏡ケースを示す正面図である。
【図６】電子眼鏡が眼鏡収容部に収容されていると共に充電器が充電器収容部に収容された状態の眼鏡ケースを示す図１に対応する斜視図である。
【図７】図６に示された７−７線に対応する線に沿って切断した蓋部が閉じられた状態の眼鏡ケース等の断面を示す断面図である。
【発明を実施するための形態】
【００３０】
図１〜図５を用いて本発明の実施形態に係るアイウェアケースとしての眼鏡ケースについて説明する。なお、図１、図４及び図５示される矢印ＵＰは眼鏡ケースが机等に置かれた状態における上側を示している。また、図２及び図３において示される矢印ＦＲは眼鏡ケースに収容されるアイウェアとしての電子眼鏡を装着した使用者から見た前側を示しており、矢印ＵＰは上側を示しており、矢印ＲＨ及びＬＨは右側及び左側を示している。
なお、以下実施形態においては、アイウェアの一例として眼鏡を例示したが、これに限らない。本発明は、ユーザの頭部、耳あるいは眼付近に装着されるアイウェアを収容するケースであればよい。アイウェアには、例えば、レンズのようにユーザの視力向上のための補助機構を有するいわゆる眼鏡（電子眼鏡を含む）や、ユーザの視界あるいは眼に対して情報提示を行う機構を有する種々のデバイス（例えば、眼鏡型ウェアラブル端末、ヘッドマウントディスプレイ等）が含まれる。
【００３１】
図１に示されるように、本実施形態の眼鏡ケース７４は、図２及び図３に示された電子眼鏡１０及び充電器７２を収容するために用いられる。以下、先ず電子眼鏡１０及び充電器７２について説明し、次いで眼鏡ケース７４について説明する。
【００３２】
（電子眼鏡１０及び充電器７２の説明）
図２及び図３に示されるように、本実施形態の電子眼鏡１０は、使用者のスイッチ操作により左右のレンズ１２、１４の一部の焦点距離（度数）を変更することが可能とされている。具体的には、電子眼鏡１０は、使用者に装着されるフレーム１６と、フレーム１６に保持された左右一対のレンズ１２、１４と、レンズ１２、１４に設けられた液晶１８を駆動させる液晶駆動部２０と、を備えている。
【００３３】
図２に示されるように、フレーム１６は、右側のレンズ１４及び左側のレンズ１２がそれぞれ保持されると共に正面視で（電子眼鏡１０の使用者の前方側から見て）環状に形成された右側リム２２及び左側リム２４と、右側リム２２と左側リム２４とを左右方向につなぐブリッジ２６と、を備えている。また、右側リム２２及び左側リム２４においてブリッジ２６と隣接する部分には、使用者の鼻に係止されるパッド部２８が形成されている。また、フレーム１６は、右側リム２２の右側の端部に傾動可能に取付けられたテンプルとしての右側テンプル３０と、左側リム２４の左側の端部に傾動可能に取付けられたテンプルとしての左側テンプル３２と、を備えている。図２に示されるように、右側テンプル３０は、使用者側が開放された溝部３６を有する右側テンプル本体３４と、右側テンプル本体３４に取付けられることで当該右側テンプル本体３４に形成された溝部３６を閉止するテンプル蓋部３８と、を含んで構成されている。
【００３４】
液晶駆動部２０は、レンズ１２に設けられた液晶１８（図３参照）の配列を変更するためのものであり、この液晶駆動部２０は、制御モジュール４０と、当該制御モジュール４０に接続された可撓ケーブル４２、アクセサリとしてのバッテリー４４及びスイッチ４６と、を備えている。制御モジュール４０は、右側テンプル本体３４の溝部３６内に配置されており、また制御モジュール４０は、右側テンプル本体３４にテンプル蓋部３８が取付けられることで、使用者側へ露出しないようになっている。また、スイッチ４６は、右側テンプル本体３４における使用者とは反対側（溝部３６が形成された側とは反対側）に固定されている。なお、本実施形態のスイッチ４６は、使用者が触れることでスイッチ操作することが可能とされた静電容量タッチスイッチである。また、バッテリー４４は、右側テンプル３０の後端部に着脱可能に取付けられるようになっている。可撓ケーブル４２は、右側テンプル３０内に配置された制御モジュール４０から右側リム２２の上方側の部位、ブリッジ２６及び左側リム２４の上方側の部位にかけて配索されている。そして、左右のレンズ１２、１４が右側リム２２及び左側リム２４にそれぞれ固定される（はめ込まれる）ことで、レンズ１２に設けられた液晶１８と可撓ケーブル４２とが図示しないを通じて接続されている。
【００３５】
次に、レンズ１２、１４について説明する。なお、右側のレンズ１４と左側のレンズ１２とは左右対称に形成されているため、以下の説明においては左側のレンズ１２について説明し、右側のレンズ１４については左側のレンズ１２の各部と同一の符号を付してその説明を省略する。
【００３６】
図３に示されるように、レンズ１２は、その厚み方向に重ね合わされて接合された前面レンズ５４及び回折部付レンズ５６を有するレンズ本体６８を備えている。このレンズ本体６８の一部を構成する前面レンズ５４及び回折部付レンズ５６は、前方側へ凸状となるように緩やかに湾曲している。また、前面レンズ５４と回折部付レンズ５６において後述する回折部６０が設けられた部分を除く部分とは、図示しない接着層を介して接合されている。なお、この接着層内には、前述の電極が配置されている。
【００３７】
回折部付レンズ５６の一部には、フレネルレンズ部としての回折部６０が設けられており、この回折部６０は、前面レンズ５４側（前面側）が鋸刃状の断面とされた所謂フレネルレンズの構成とされている。また、回折部付レンズ５６の回折部６０と前面レンズ５４との間には、通電されることで屈折率が変化する屈折率変化層としての液晶１８が介装されている。そして、電子眼鏡１０の使用者によってスイッチ４６の操作がなされることにより、液晶１８に電圧が印加されると、液晶１８の配列が変化して、当該液晶１８の屈折率が変化する。これにより、左右のレンズ１２、１４において回折部６０が設けられた部分の度数を当該回折部６０の回りの部分の度数に比べて高くする（回折部６０が設けられた部分の焦点距離を当該回折部６０の回りの部分の焦点距離に比べて短くする）ことが可能となっている。
【００３８】
図２に示されるように、充電用アクセサリとしての充電器７２は、バッテリー４４を充電するためのものであり、この充電器７２は、略直方体状に形成されている。充電器７２の長手方向一方側の端部は、バッテリー４４が接続されるバッテリー接続部７２Ａとされており、充電器７２の長手方向他方側の端部は、パソコン等に設けられたＵＳＢコネクタに接続されるコネクタ部７２Ｂとされている。なお、ＵＳＢとは、Ｕｎｉｖｅｒｓａｌ  Ｓｅｒｉａｌ  Ｂｕｓの略称であり、周辺機器をコンピュータに接続するためのシリアルバス規格の１つである。そして、バッテリーがバッテリー接続部７２Ａに接続された状態で、充電器７２のコネクタ部７２ＢをＵＳＢコネクタに接続することで、バッテリー４４を充電することが可能となっている。
【００３９】
（眼鏡ケース７４の説明）
図１に示されるように、眼鏡ケース７４は、電子眼鏡１０（図３等参照）が収容されるアイウェア収容部としての眼鏡収容部７６と、充電器７２（図２参照）が収容されるアクセサリ収容部としての充電器収容部７８と、を有するケース本体８０を備えている。また、眼鏡ケース７４は、ヒンジ部８４を介してケース本体８０に傾動（回動）可能に接続されていると共にケース本体８０との間に電子眼鏡１０及び充電器７２が収容される空間を形成する蓋部８２を備えている。なお、本実施形態のヒンジ部８４の構成は、所謂インテグラルヒンジの構成とされているが、他の構成のヒンジ部を適用してもよい。
【００４０】
ケース本体８０は、上方側が開放されていると共に下方側が閉止された有底箱状に形成されている。具体的には、図１及び図４に示されるように、ケース本体８０は、上方側から見て略矩形状に形成された底壁部８０Ａと、底壁部８０Ａの長手方向一方側の端部から上方側へ向けて延びる第１側壁部８０Ｂと、底壁部８０Ａの長手方向他方側の端部から上方側へ向けて延びると共に第１側壁部８０Ｂと対向して配置された第２側壁部８０Ｃと、を備えている。また、ケース本体８０は、底壁部８０Ａの短手方向一方側の端部から上方側へ向けて延びる第３側壁部８０Ｄと、底壁部８０Ａの短手方向他方側の端部から上方側へ向けて延びると共に第３側壁部８０Ｄと対向して配置された第４側壁部８０Ｅと、を備えている。そして、底壁部８０Ａと第１側壁部８０Ｂ、第２側壁部８０Ｃ、第３側壁部８０Ｄ及び第４側壁部８０Ｅとの境界部は、緩やかに湾曲していると共に、第１側壁部８０Ｂと第３側壁部８０Ｄ及び第４側壁部８０Ｅとの境界部、並びに、第２側壁部８０Ｃと第３側壁部８０Ｄ及び第４側壁部８０Ｅとの境界部も緩やかに湾曲している。以上説明した
底壁部８０Ａ、第１側壁部８０Ｂ、第２側壁部８０Ｃ、第３側壁部８０Ｄ及び第４側壁部８０Ｅによって、ケース本体８０の底面及び側面が形成されている。
【００４１】
第４側壁部８０Ｅの中央部は、第３側壁部８０Ｄ側に向けて凸状に形成された凸状部８０Ｆとされている。また、凸状部８０Ｆの一方側の端及び他方側の端からは、その下端部が底壁部８０Ａに接続された第１中壁部８０Ｇ及び第２中壁部８０Ｈがそれぞれ延在されている。さらに、第１中壁部８０Ｇにおける第４側壁部８０Ｅとは反対側の端部と第２中壁部８０Ｈにおける第４側壁部８０Ｅとは反対側の端部とは、その下端部が底壁部８０Ａに接続された第３中壁部８０Ｉを介して接続されている。また、第３中壁部８０Ｉの長手方向の中央の上端部には、切欠部８０Ｊが形成されている。
【００４２】
以上説明したケース本体８０において、底壁部８０Ａ、第１側壁部８０Ｂ、第２側壁部８０Ｃ、第３側壁部８０Ｄ、第４側壁部８０Ｅ、第１中壁部８０Ｇ、第２中壁部８０Ｈ及び第３中壁部８０Ｉに囲まれた領域が、電子眼鏡１０（図３等参照）が収容される眼鏡収容部７６とされている。この眼鏡収容部７６は、上方側から見て（ケース本体８０の開放方向から見て）浅底の略Ｕ字状（浅底のコ字状）に形成されている。
【００４３】
また、ケース本体８０において、底壁部８０Ａ、第４側壁部８０Ｅの凸状部８０Ｆが形成された部位、第１中壁部８０Ｇ、第２中壁部８０Ｈ及び第３中壁部８０Ｉに囲まれた領域が、その上端部に形成された開口部７８Ａから充電器７２（図２参照）が収容される充電器収容部７８とされている。換言すると、この充電器収容部７８は、ヒンジ部８４が設けられた側とは反対側においてケース本体８０の底面及び側面に接続されている。なお、底壁部８０Ａにおいて充電器収容部７８を形成している部分Ｓ１は、眼鏡収容部７６を形成している部分Ｓ２に対して底上げされている（眼鏡ケース７４が置かれる面と離間している）。
【００４４】
図５に示されるように、蓋部８２は、一方側が開放されていると共に他方側が閉止された有天箱状に形成されている。具体的には、蓋部８２は、略矩形板状に形成された頂壁部８２Ａと、頂壁部８２Ａの長手方向一方側の端部から頂壁部８２Ａの厚み方向一方側へ向けて延びる第１側壁部８２Ｂと、頂壁部８２Ａの長手方向他方側の端部から頂壁部８２Ａの厚み方向一方側へ向けて延びると共に第１側壁部８２Ｂと対向して配置された第２側壁部８２Ｃと、を備えている。また、蓋部８２は、頂壁部８２Ａの短手方向一方側の端部から頂壁部８２Ａの厚み方向一方側へ向けて延びる第３側壁部８２Ｄと、頂壁部８２Ａの短手方向他方側の端部から頂壁部８２Ａの厚み方向一方側へ向けて延びると共に第３側壁部８２Ｄと対向して配置された第４側壁部８２Ｅと、を備えている。そして、ケース本体８０と同様に、頂壁部８２Ａと第１側壁部８２Ｂ、第２側壁部８２Ｃ、第３側壁部８２Ｄ及び第４側壁部８２Ｅとの境界部は、緩やかに湾曲していると共に、第１側壁部８２Ｂと第３側壁部８２Ｄ及び第４側壁部８２Ｅとの境界部、並びに、第２側壁部８２Ｃと第３側壁部８２Ｄ及び第４側壁部８２Ｅとの境界部も緩やかに湾曲している。以上説明した頂壁部８２Ａ、第１側壁部８２Ｂ、第２側壁部８２Ｃ、第３側壁部８２Ｄ及び第４側壁部８２Ｅによって、蓋部８２の上面及び側面が形成されている。
【００４５】
また、第４側壁部８２Ｅの中央部には、ケース本体８０の第４側壁部８０Ｅに形成された凸状部８０Ｆ（図４参照）と対応する凸状部８２Ｆが形成されている。凸状部８２Ｆにおける頂壁部８２Ａの長手方向の中央部からは、その一部が頂壁部８２Ａに接続された矩形ブロック状の規制部としての変位規制部８２Ｇが立設されている。換言すると、この変位規制部８２Ｇは、ヒンジ部８４が設けられた側とは反対側において蓋部８２の上面及び側面に接続されている。図４及び図５に示されるように、この変位規制部８２Ｇにおける頂壁部８２Ａとは反対側の端部Ｔは、第４側壁部８２Ｅにおける頂壁部８２Ａとは反対側の端よりも頂壁部８２Ａとは反対側へ突出している。これにより、変位規制部８２Ｇにおける頂壁部８２Ａとは反対側の端部Ｔが、充電器収容部７８の開口部７８Ａの縁部に当接して、当該開口部７８Ａの長手方向の中央部を閉止（閉塞）することが可能となっている。
【００４６】
以上説明した蓋部８２の第３側壁部８２Ｄとケース本体８０の第３側壁部８０Ｄとは、図示しないヒンジを介して接続されている。これにより、蓋部８２をケース本体８０に対して傾動させることが可能となっている。
【００４７】
（本実施形態の作用並びに効果）
次に、本実施形態の作用並びに効果について説明する。
【００４８】
図１に示されるように、本実施形態の眼鏡ケース７４によれば、蓋部８２をケース本体８０に対して開放方向Ａ１（矢印Ａ１方向）へ傾動させることで、図６に示されるように、電子眼鏡１０及び充電器７２をケース本体８０の眼鏡収容部７６及び充電器収容部７８へそれぞれ収容させることが可能となっている。ここで、本実施形態では、電子眼鏡１０のフレーム１６が折り畳まれた状態において、パッド部２８が充電器収容部７８側へ配置されると共に右側テンプル３０及び左側テンプル３２が右側リム２２及び左側リム２４よりも底壁部８０Ａ側へ配置された状態で電子眼鏡１０が眼鏡収容部７６内へ収容されるように、当該眼鏡収容部７６内の内周面の形状が設定されている。換言すると、眼鏡収容部７６内の内周面が、電子眼鏡１０を所定の姿勢で当該眼鏡収容部７６内へ収容させるためのガイド面として機能している。また、本実施形態では、右側テンプル３０及び左側テンプル３２の端部が、眼鏡収容部７６内における充電器収容部７８の両側へそれぞれ配置される。これにより、電子眼鏡１０の眼鏡収容部７６内における移動を規制することができる。
【００４９】
また、蓋部８２をケース本体８０に対して閉止方向Ａ２（矢印Ａ２方向）へ傾動させることで、図７に示されるように、ケース本体８０の眼鏡収容部７６及び充電器収容部７８に収容された電子眼鏡１０及び充電器７２をケース本体８０と蓋部８２との間に形成された密閉空間内に収容することができる。また、図７に示されるように、電子眼鏡１０のフレーム１６の一部及び左右レンズ１２，１４の一部を、充電器収容部７８の上部に位置させることもできる。すなわち、蓋部８２がケース本体８０を閉止している状態において、電子眼鏡１０のフレーム１６の一部及び左右レンズ１２，１４の一部が、充電器収容部７８と蓋部８２の間に位置している。このため、蓋部８２がケース本体８０を閉止している状態では、ケース本体８０に収容された電子眼鏡１０の充電器収容部７８内における高さ方向へのガタつきが抑制される。また、充電器収容部７８は、ケース本体８０の底面と電子眼鏡１０のフレーム１６及び左右レンズ１２，１４の一部との間に形成されたスペースに配置されることで、当該スペース内が有効利用されている。
【００５０】
ここで、本実施形態では、変位規制部８２Ｇにおける頂壁部８２Ａとは反対側の端部Ｔが、充電器収容部７８の開口部７８Ａの長手方向の中央部を閉止している。これにより、ケース本体８０の充電器収容部７８に収容された充電器７２の蓋部８２の頂壁部８２Ａ側への移動が規制される。これにより、充電器７２が充電器収容部７８内から抜け出すことが抑制される。その結果、電子眼鏡１０及び充電器７２を眼鏡ケース７４内に収容した状態で、電子眼鏡１０及び充電器７２を持ち運ぶ際に、電子眼鏡１０と充電器７２とが干渉することを防止又は抑制することができる。
【００５１】
また、本実施形態では、蓋部８２がケース本体８０を閉止している状態において、蓋部８２に設けられた変位規制部８２Ｇが充電器７２に当接する又は近接して配置されるように、変位規制部８２Ｇの頂壁部８２Ａに対する寸法が設定されている。これにより、充電器収容部７８内における充電器７２のガタつきを抑制することができる。なお、変位規制部８２Ｇにおける頂壁部８２Ａとは反対側の端部Ｔを充電器７２に当接させることで、充電器７２が充電器収容部７８内においてがたつくことがより一層抑制される。また、充電器収容部７８には、電子眼鏡１０の予備のバッテリー４４（図２参照）や充電用アクセサリとしての充電ケーブル、カメラ、プロジェクタ、メモリー等の他のアクセサリを収容してもよい。
【００５２】
さらに、本実施形態では、蓋部８２がケース本体８０を閉止している状態において、蓋部８２に設けられた変位規制部８２Ｇが電子眼鏡１０の左右のレンズ１２、１４の間に配置されると共に一対のパッド部２８の間に配置される。これにより、眼鏡収容部７６内における電子眼鏡１０のガタつきを抑制することができる。
【００５３】
また、本実施形態では、充電器収容部７８が、ケース本体８０の底面及び側面に接続されていると共に、変位規制部８２Ｇが、蓋部８２の上面及び側面に接続されている。これにより、ケース本体８０及び蓋部８２において充電器収容部７８及び変位規制部８２Ｇが設けられた部分の剛性を向上させることができる。
【００５４】
さらに、本実施形態では、充電器収容部７８及び変位規制部８２Ｇが、ヒンジ部８４が設けられた側とは反対側に設けられている。これにより、蓋部８２をケース本体８０に対して傾動させた際に、充電器収容部７８と変位規制部８２Ｇと離間させることができる。すなわち、充電器収容部７８と変位規制部８２Ｇとのクリアランスを確保することができる。これにより、充電器７２を充電器収容部７８に容易に収容させることができる。
【００５５】
なお、本実施形態では、電子眼鏡１０及び充電器７２を収容するための眼鏡ケース７４に本発明を適用した例について説明したが、他のアイウェア及びアクセサリを収容するアイウェアケースに本発明を適用することもできる。
つまり、眼鏡収容部７６はアイウェア収容部であり、上述した種々のアイウェアを収容することが可能である。また、充電器収容部７８はアイウェアのアクセサリ収容部であり、充電器以外のアイウェアのアクセサリとしては、アイウェアに対して有線又は無線で接続される小型デバイスが挙げられる。例えば、アイウェアに接続されて充電に用いられる充電ケーブル、アイウェアに対して情報表示を行うためのプロジェクタやディスプレイ、アイウェアと無線通信を行う通信デバイス、アイウェアと音声信号や映像信号の送受信を行うマイク、スピーカ、またはカメラなどが挙げられる。
【００５６】
以上、本発明の一実施形態について説明したが、本発明は、上記に限定されるものでなく、その主旨を逸脱しない範囲内において上記以外にも種々変形して実施することが可能であることは勿論である。
【符号の説明】
【００５７】
１０   電子眼鏡（アイウェア）
１２   レンズ
１４   レンズ
１６   フレーム
３０   右側テンプル（テンプル）
３２   左側テンプル（テンプル）
４４   バッテリー
７２   充電器（アクセサリ、充電用アクセサリ）
７４   眼鏡ケース（アイウェアケース）
７６   眼鏡収容部（アイウェア収容部）
７８   充電器収容部（アクセサリ収容部）
７８Ａ 開口部
８０   ケース本体
８２   蓋部
８２Ｇ 変位規制部（規制部）
８４   ヒンジ部
【図１】
2018066346.tif 000003
【図２】
2018066346.tif 000004
【図３】
2018066346.tif 000005
【図４】
2018066346.tif 000006
【図５】
2018066346.tif 000007
【図６】
2018066346.tif 000008
【図７】
2018066346.tif 000009
【国際調査報告】
2018066346.tif 000010
2018066346.tif 000011
2018066346.tif 000012